(57)【要約】【課題】  物品を浮かせて収納する包装箱において、仕切壁のない場合でも、物品を載せるための支持部を確実に固定し、物品を安定した状態で保持できるようにすることを目的とする。【解決手段】  第１補強壁部２４（２６）の側端部及び中央部には、組立時に内側に折り曲げられることにより、収納する容器Ｐのフランジの一部に係合し、この容器Ｐを底板部１０から浮かせた状態に保持する側端部支持片２４Ａ，２４Ｂ（２６Ａ，２６Ｂ）及び中央部支持片２４Ｃ，２４Ｄ（２６Ｃ，２６Ｄ）が形成され、第２補強壁部２８，３２（３０，３４）において、第２側壁部１６，１８と反対側の辺には、組立時に内側に折り曲げられることにより、中央部支持片２４Ｃ，２４Ｄ（２６Ｃ，２６Ｄ）が内側に折り曲げられた状態を保持するための固定片３６，４０（３８，４２）が連設されている。【選択図】  図２
0003111978.tif 000002
【実用新案登録請求の範囲】
【請求項１】
予め定められた形状に切断された１枚のシート材を定められた折線に沿って折り曲げることにより組立可能な包装箱であって、
矩形の底板部と、
該底板部の４辺の内、互いに平行な１組の辺に夫々連設された一対の第１側壁部と、
前記底板部の４辺の内、互いに平行で、しかも前記第１側壁部が連設されない１組の辺に夫々連設された一対の第２側壁部と、
前記各第１側壁部の前記底板部とは反対側の辺に夫々連設され、組立時に前記底板部に略平行に対向する面を形成する一対の額縁部と、
該各額縁部の前記第１側壁部とは反対側の辺に夫々連設され、組立時には内側に折り込まれる一対の第１補強壁部と、
前記各第２側壁部において、前記底板部側の辺と直交する２辺に夫々連設され、組立時には夫々前記各第１側壁部と前記各第１補強壁部との間に挟まれる一対の第２補強壁部と、
を備え、
前記各第１補強壁部において、前記額縁部に連設される辺の両端側及びその中央部には、組立時に内側に折り曲げられることにより、収納する物品の一部に係合し、この物品を前記底板部から浮かせた状態に保持する支持片が形成され、
前記各第２補強壁部において、前記第２側壁部とは反対側の辺には、組立時に内側に折り曲げられることにより、前記中央部の支持片が内側に折り曲げられた状態を保持するための固定片が連設されていることを特徴とする包装箱。
【請求項２】
前記各第２側壁部の前記底板部とは反対側の辺には、組立時に前記底板部に略平行に対向する面を形成する第２額縁部、及び、組立時に内側に折り込まれる内壁部が順に連設されていると共に、前記各内壁部において、前記第２額縁部側の辺と直交する２辺には、組立時には夫々前記各第１側壁部と前記各第１補強壁部との間に挟まれる一対の第３補強壁部が連設されており、
前記固定片は、前記第３補強壁部の前記内壁部とは反対側の辺に連設されていることを特徴とする請求項１に記載の包装箱。
【請求項３】
前記第２側壁部と平行に配置され、前記底板部、前記第１側壁部、前記第２側壁部にて囲まれて形成される内部空間を２つの内部空間に分離する第１仕切壁を備え、
該第１仕切壁には、組立時に前記各第１補強壁部から前記内部空間に向けて突出される２つの固定片の間に挿入される第１挿入片が形成されていることを特徴とする請求項１又は請求項２に記載の包装箱。
【請求項４】
前記第１仕切壁と直交するように配置され、前記底板部、前記第１側壁部、前記第２側壁部、前記第１仕切壁にて囲まれて形成される２つの内部空間を分離する第２仕切壁を備え、
前記第２仕切壁は、予め定められた形状に切断された１枚のシート材を、定められた折線に沿って折り曲げることにより断面がコの字状になるように構成され、前記コの字の開放端側が前記底板部を向くように配置され、前記支持片が前記物品の一部に係合する高さと同じ高さで前記物品の一部と係合する支持部が、前記コの字の２つの頂点を形成する互いに平行な一対の辺に沿って、夫々形成されていることを特徴とする請求項３に記載の包装箱。
【請求項５】
前記各第１補強壁部において、前記額縁部に連設される辺の両端側に形成される支持片は、前記第１側壁部の両端よりも外側に突出していることを特徴とする請求項１〜請求項４の何れかに記載の包装箱。
【請求項６】
前記底板部において、前記第１側壁部が連設された辺には、補強壁挿入孔が形成されていると共に、
前記各第１補強壁部において、前記額縁部とは反対側の辺には、組立時に前記補強壁挿入孔に挿通可能な凸部が形成されていることを特徴とする請求項１〜請求項５の何れかに記載の包装箱。
【請求項７】
当該包装箱を構成するシート材は、段ボールにて構成されていることを特徴とする請求項１〜請求項６の何れかに記載の包装箱。
【考案の詳細な説明】
【技術分野】
【０００１】
本考案は、パック詰めの青果等を収納し運搬するための包装箱に関する。
【背景技術】
【０００２】
従来より、いちご等の傷みやすい青果を出荷する際には、一般に、このような青果をプラスチック製のパックに詰めてパック詰めにし、パック詰めの状態で、他の複数のパック詰めの青果と共に包装箱に収納し、搬送するようにしている。そして、この包装箱としては、段ボール等のシート材を組み立てて構成されたトレー状で、内部にパックの形状に合わせた仕切壁が設けられたものが知られており、この仕切壁により、各パックが箱内で移動して青果が傷つけられることを防止している。
【０００３】
しかしながら、各パック同士が接触することにより青果が傷つけられることを防止しても、包装箱が搬送中に受ける振動や衝撃が、包装箱の底部からパックに直接加わることにより、青果を損傷させてしまうことがあった。
【０００４】
一方、上記問題を回避する方法として、トレー状の包装箱の側壁の一部により支持部を形成し、この支持部及び仕切壁にパックのフランジ部を載せてパックを浮かせた状態にすることで、パックに加わる振動等を緩和する包装箱が提案されている（例えば特許文献１，２等参照）。
【特許文献１】特開２００４−２７６９５４号公報
【特許文献２】特開２００５−３５６１２号公報
【考案の開示】
【考案が解決しようとする課題】
【０００５】
しかしながら、上記のようなパックを浮かせた状態で保持する包装箱においては、側壁に切り込みを設けて、その側壁の一部を包装箱の内側に折り曲げるか、又は、側壁を延出し、その延出部分を包装箱の底部の縁から斜め上方に折り曲げることにより支持部を形成しており、これらの支持部の一部又は全ては、仕切壁に係合することで折り曲げた状態が固定されている。このため、仕切壁を取り外すと、支持部の一部又は全てが固定されていない状態となるので、例えば、仕切壁を必要としない大きさのパックを収納しようとした場合には、パックを安定した状態で保持することができなくなるという問題があった。
【０００６】
本考案は、こうした問題に鑑みなされたもので、物品を浮かせて収納する包装箱において、仕切壁のない場合でも、物品を載せるための支持部を確実に固定し、物品を安定した状態で保持できるようにすることを目的とする。
【課題を解決するための手段】
【０００７】
係る目的を達成するためになされた請求項１に記載の考案は、予め定められた形状に切断された１枚のシート材を定められた折線に沿って折り曲げることにより組立可能な包装箱であって、矩形の底板部と、該底板部の４辺の内、互いに平行な１組の辺に夫々連設された一対の第１側壁部と、前記底板部の４辺の内、互いに平行で、しかも前記第１側壁部が連設されない１組の辺に夫々連設された一対の第２側壁部と、前記各第１側壁部の前記底板部とは反対側の辺に夫々連設され、組立時に前記底板部に略平行に対向する面を形成する一対の額縁部と、該各額縁部の前記第１側壁部とは反対側の辺に夫々連設され、組立時には内側に折り込まれる一対の第１補強壁部と、前記各第２側壁部において、前記底板部側の辺と直交する２辺に夫々連設され、組立時には夫々前記各第１側壁部と前記各第１補強壁部との間に挟まれる一対の第２補強壁部と、を備え、前記各第１補強壁部において、前記額縁部に連設される辺の両端側及びその中央部には、組立時に内側に折り曲げられることにより、収納する物品の一部に係合し、この物品を前記底板部から浮かせた状態に保持する支持片が形成され、前記各第２補強壁部において、前記第２側壁部とは反対側の辺には、組立時に内側に折り曲げられることにより、前記中央部の支持片が内側に折り曲げられた状態を保持するための固定片が連設されていることを特徴としている。
【０００８】
このような包装箱によれば、矩形の底板部に連設された一対の第１側壁部と、底板部の第１側壁部が連設されない１組の辺に夫々連設された一対の第２側壁部とを上方に折り曲げ、額縁部と、第１補強壁部とを、第２補強壁部を挟むように内側に折り込むことによりトレー状の箱が形成される。そして、第１補強壁部の額縁部に連設される辺の両端側及びその中央部に形成された支持片を、内側に折り曲げることにより、これらの支持片が収納する物品の一部に係合し、この物品を底板部から浮かせた状態に保持することができる。
【０００９】
さらに、第２補強壁部において、第２側壁部側の辺とは反対側の辺に連設された固定片を、内側に折り曲げることにより、中央部の支持片が内側に折り曲げられた状態が保持されるので、支持片が折り曲げられていない状態に戻ることを防止でき、より確実に物品を保持できる。また、このように各部を連設することで、シート材の形状が略長方形となるので、シート材を効率的に使用でき、シート材の使用量を必要最小限にすることができる。
【００１０】
次に、請求項１に記載の包装箱は、請求項２に記載のように、各第２側壁部の底板部とは反対側の辺には、組立時に底板部に略平行に対向する面を形成する第２額縁部、及び、組立時に内側に折り込まれる内壁部を順に連設すると共に、各内壁部において、第２額縁部側の辺と直交する２辺には、組立時には夫々各第１側壁部と各第１補強壁部との間に挟まれる一対の第３補強壁部を連設し、固定片を、第３補強壁部の内壁部とは反対側の辺に連設するようにしてもよい。
【００１１】
このようにすると、第２側壁部側の側壁も二重に構成されるので、包装箱の強度を上げることができる。また、全ての側壁の上面に、底板部に略平行に対向する面が形成されるので、包装箱をより安定した状態で、上下に重ねることができる。
【００１２】
そして、請求項１又は請求項２に記載の包装箱は、請求項３に記載のように、第２側壁部と平行に配置され、底板部、第１側壁部、第２側壁部にて囲まれて形成される内部空間を２つの内部空間に分離する第１仕切壁を設け、この第１仕切壁には、組立時に第１補強壁部から内部空間に向けて突出される２つの固定片の間に挿入される第１挿入片を形成するようにしてもよい。
【００１３】
このようにすると、第１仕切壁の第１挿入片が、２つの固定片により形成された挿入孔に挿入されることにより、第１仕切壁の立設状態が保持されるので、容易に内部空間を分割することができる。
【００１４】
また、請求項３に記載の包装箱は、請求項４に記載のように、組立時に第１仕切壁と直交するように配置され、底板部、第１側壁部、第２側壁部、第１仕切壁にて囲まれて形成される２つの内部空間を分離する第２仕切壁を設け、この第２仕切壁は、予め定められた形状に切断された１枚のシート材を、定められた折線に沿って折り曲げることにより断面がコの字状になるように構成し、コの字の開放端側が底板部を向くように配置し、支持片が物品の一部に係合する高さと同じ高さで物品の一部と係合する支持部を、コの字の２つの頂点を形成する互いに平行な一対の辺に沿って、夫々形成するようにしてもよい。
【００１５】
このようにすると、第２仕切壁がコの字状に構成されているので、第１仕切壁と第２仕切壁を直交するように配置することにより、第１仕切壁の立設状態がより安定し、容易に内部空間を分割できる。また、第２仕切壁には、支持片と同じ高さで物品の一部と係合するように支持部が形成されているので、支持片と、支持部とにより、より確実に物品を底板部から浮かせた状態で保持できる。
【００１６】
そして、請求項１〜請求項４の何れかに記載の包装箱は、請求項５に記載のように、各第１補強壁部において、額縁部に連設される辺の両端側に形成される支持片は、第１側壁部の両端よりも外側に突出するように形成してもよい。
【００１７】
このようにすると、支持片の一部が第１側壁部の両端よりも外側に突出しているので、第１補強壁部を内側に折り込んだ状態において、支持片が第２側壁部に接触し、固定される。このため、支持片が折り曲げられていない状態に戻ることを防止でき、より確実に物品を底板部から浮かせた状態で保持できる。
【００１８】
さらに、請求項１〜請求項５の何れかに記載の包装箱は、請求項６に記載のように、底板部において、第１側壁部が連設された辺には、補強壁挿入孔を形成し、第１補強壁部において、額縁部とは反対側の辺には、組立時に補強壁挿入孔に挿通可能な凸部を形成するようにしてもよい。
【００１９】
このようにすると、接着剤や金具等の接合部材を用いることなく、第１補強壁部を固定することができるので、組立が容易となり、また、製造コストを削減することができる。
また、請求項１〜請求項６の何れかに記載の包装箱は、包装箱を構成するシート材として、プラスチック等の樹脂材料や、厚紙等の紙材料を用いてもよいが、請求項７に記載のように、段ボールにて構成してもよく、このようにすると、箱としての十分な強度を保ちつつ、折り曲げ、切断等の加工を容易に行うことができる。
【考案を実施するための最良の形態】
【００２０】
以下、本考案が適用された実施形態の包装箱を図面と共に説明する。
［第１実施例］
図１は、本実施例の包装箱１の展開図である。
【００２１】
包装箱１は、いちごが詰められたいちごパック（以下、容器Ｐとする）を収納し、搬送する際に使用されるものであって、トレー２と、第１仕切壁５０及び第２仕切壁６０により構成され、トレー２の内部空間を４等分する中仕切りと、からなり、各分割された領域に略等しい大きさの容器Ｐを４個収納可能に構成されている。
【００２２】
包装箱１の材料であるシート材４は、段ボールからなり、図１に示すような形状に予め裁断されており、破線で示す箇所は、折り曲げやすいように折れ目や切れ目が設けられている。また、シート材４における領域Ａには、波形の形状を有する段ボールの中芯の向きを示しており、領域Ａ内の線は、中芯の山または谷の部分を示す。
【００２３】
ここで、シート材４は、第１仕切壁５０、第２仕切壁６０を除いて、対称軸Ｂ−Ｂを中心として線対称に構成されているため、線対称に構成された当該部分に対して、その線対称に位置する部分については、括弧書きにて符号を追加し、まとめて説明する。
【００２４】
シート材４は、図１に示すように、トレー２を構成する、底板部１０、底板部１０の４辺の内、互いに平行な１組の辺に夫々連設された一対の第１側壁部１２（１４）、底板部１０の４辺の内、互いに平行で、しかも第１側壁部１２（１４）が連設されない１組の辺に夫々連設された一対の第２側壁部１６，１８、第１側壁部１２（１４）の底板部１０とは反対側の辺に連設され、組立時に底板部１０に略平行に対向する面を形成する一対の額縁部２０（２２）、各額縁部の第１側壁部１２（１４）とは反対側の辺に連設され、組立時には内側に折り込まれる一対の第１補強壁部２４（２６）、各第２側壁部１６，１８において、底板部１０側の辺と直交する２辺に夫々連設され、組立時には第１側壁部１２（１４）と第１補強壁部２４（２６）との間に挟まれる第２補強壁部２８，３２（３０，３４）と、中仕切りを構成する、第１仕切壁５０、第２仕切壁６０と、から構成されている。ここで、第１仕切壁５０は第１補強壁部２４の額縁部２０（２２）とは反対側の辺に切断可能に連設され、第２仕切壁６０は、第１仕切壁の第１補強壁部２４とは反対側の辺に切断可能に連設されている。
【００２５】
底板部１０は、第２側壁部１６，１８が連設された辺が、第１側壁部１２（１４）の連設された辺より長く構成された長方形であり、長方形の補強壁挿入孔１０Ａ（１０Ｂ）が形成されている。そして、この補強壁挿入孔１０Ａ（１０Ｂ）は、長辺の内の１辺が、第１側壁部１２（１４）が連設された辺に接するように、各辺に２箇所形成されている。
【００２６】
第１補強壁部２４（２６）は、額縁部２０（２２）とは反対側の端縁に、底板部１０に形成された補強壁挿入孔１０Ａ（１０Ｂ）に挿通可能な幅の凸部２４Ｊ（２６）が２箇所形成されており、組立時に、底板部１０に形成された補強壁挿入孔１０Ａ（１０Ｂ）に挿通される。
【００２７】
また、第１補強壁部２４（２６）は、額縁部２０（２２）に連設される辺の両端側が第１側壁部１２（１４）の両端よりも外側に突出している。そして、凸部２４Ｊ（２６Ｊ）が形成されている側の辺から、この辺に直交し、この第１補強壁部２４（２６）を二等分するように、この面の略中央部を端として、切り込み２４Ｅが形成されている。一方、この切り込み２４Ｅの切り込み端から、この切り込み２４Ｅを中心線として、切り込み２４Ｅと直交する方向で線対称に、切り込み２４Ｆが所定の長さで設けられると共に、この切り込み２４Ｆの延長線上に、この第１補強壁部２４（２６）の両側端部から切り込み２４Ｇが所定の長さで設けられている。さらに、切り込み２４Ｅと平行に、各切り込み２４Ｆ，２４Ｇの切り込み端を端として、一部切れ目を含む折線２４Ｈが設けられている。
【００２８】
そして、組立時には、切り込み２４Ｅ，２４Ｆにより形成された側端部支持片２４Ａ，２４Ｂ（２６Ａ，２６Ｂ）及び中央部支持片２４Ｃ，２４Ｄ（２６Ｃ，２６Ｄ）が、この折線２４Ｈに沿ってトレー２の内側に折り曲げられることにより、これらの支持片が、収納する容器Ｐのフランジに係合し、容器Ｐが底板部１０から浮いた状態に保持される。
【００２９】
第２補強壁部２８，３２（３０，３４）の第２側壁部１６，１８とは反対側の辺は、組立時に底板部１０に当接する側が一部突出し、固定片３６，４０（３８，４２）を形成している。そして、この固定片３６，４０（３８，４２）の連結部には、第２側壁部１６，１８が連設されている辺と平行な折線２８Ａ，３２Ａ（３０Ａ，３４Ａ）が形成されており、この折線２８Ａ，３２Ａ（３０Ａ，３４Ａ）に沿ってトレー２の内側に、固定片３６，４０（３８，４２）が折り曲げられることにより、中央部支持片２４Ｃ，２４Ｄ（２６Ｃ，２６Ｄ）が内側に折り曲げられた状態が保持される。
【００３０】
また、第２補強壁部２８，３２（３０，３４）の第１側壁部１２（１４）と反対側の辺には凸部２８Ｂ，３２Ｂ（３０Ｂ，３４Ｂ）が各２箇所形成されており、組立時には、この凸部２８Ｂ，３２Ｂ（３０Ｂ，３４Ｂ）が内側に折り曲げられて額縁部２０（２２）に重なり、額縁部２０（２２）を補強する。
【００３１】
第１仕切壁５０は長尺状であり、両端に、組立時に第１補強壁部から突出する２つの固定片３６，４０又は固定片３８，４２の間に挿入される第１挿入片５０Ａが形成されており、略平行な２つの長辺の内、第２仕切壁６０と連設する側の中央部には、組立時に、第２仕切壁６０に挿入される第２挿入片５０Ｂが形成されている。そして、この第１仕切壁５０は、トレー２を構成する部分と、第２仕切壁６０とは切り離して使用され、組み立てられたトレー２の内部に、第２側壁部１６，１８と平行に配置され、底板部１０、第１側壁部１２，１４、第２側壁部１６，１８にて囲まれて形成される内部空間を２つに分離する。
【００３２】
第２仕切壁６０は、略長方形であり、第１仕切壁５０に連設された辺（長辺）と平行に、この第２仕切壁６０を二等分する中心線に沿って、中央部と端部を残して２箇所に切り込み６０Ｂが形成されていると共に、中央部と端部には、中心線の両側に中心線と平行に折線６０Ｃが形成されている。そして、この第２仕切壁６０は、第１仕切壁５０と、トレー２を構成する部分とは切り離され、折線６０Ｃに沿って断面がコの字状となるように折り曲げた状態で第１仕切壁５０と組み合わせて使用される。
【００３３】
また、第２仕切壁６０は、折線６０Ｃに沿って折り曲げられることにより、切り込み６０Ｂの切断面の一部が上方を向き、容器Ｐのフランジの一部と係合可能な支持部６０Ｄを形成する。尚、この支持部６０Ｄは、側端部支持片２４Ａ，２４Ｂ（２６Ａ，２６Ｂ）及び中央部支持片２４Ｃ，２４Ｄ（２６Ｃ，２６Ｄ）が容器Ｐのフランジの一部に係合する高さと同じ高さでフランジの一部と係合するように形成されている。
【００３４】
また、第２仕切壁６０には、第１仕切壁５０に連設された辺（長辺）と直交する方向に、この第２仕切壁６０を二等分する中心線に沿って、仕切壁挿入孔６０Ａが形成されており、第２仕切壁６０は、組立時には、第１仕切壁５０と直交するように配置され、底板部１０、第１側壁部１２（１４）、第２側壁部１６（１８）、第１仕切壁５０にて囲まれて形成される２つの内部空間を分離する。
【００３５】
第１側壁部１２（１４）、額縁部２０（２２）、第１補強壁部２４（２６）には、各部が夫々連設される辺に直交する方向に、各部を跨ぐように、一対の平行な切り込み４４Ａ（４６Ａ）が２箇所に形成されている。そして、これらの切り込み４４Ａ（４６Ａ）は、一対の切り込み４４Ａ（４６Ａ）に挟まれた部分を、この切り込み４４Ａ（４６Ａ）に直交するように形成された折線９４（９６）に沿って折り曲げることにより、額縁部２０（２２）の上面よりも上方に突出される突起４４（４６）を形成するためのものであり、切り込み４４Ａ（４６Ａ）の位置は、同一の包装箱１を、更にその上に重ねたときに、この突起４４（４６）が、上に重ねた包装箱１の底板部１０に形成された補強壁挿入孔１０Ａ（１０Ｂ）に挿通されるように、補強壁挿入孔１０Ａ（１０Ｂ）の両端縁の位置に対応している。
【００３６】
次に、このシート材４から包装箱１を組み立てる手順について図２、図３を用いて説明する。図２は、包装箱１の完成状態を示す斜視図、図３は、包装箱１の分解図である。
まず、図１に示すシート材４から、第１仕切壁５０、第２仕切壁６０を切り離す。次に、第２側壁部１６，１８と、その両側に連設された第２補強壁部２８，３２（３０，３４）とを、折線７０，７２及び折線７４，７６（７８，８０）に沿って起こすように折り曲げる。そして、固定片３６，４０（３８，４２）と凸部２８Ｂ，３２Ｂ（３０Ｂ，３４Ｂ）を、夫々折線２８Ａ，３２Ａ（３０Ａ，３４Ａ）、折線９８，１０２（１００，１０４）に沿ってトレー２の内側方向に折り曲げる。
【００３７】
ここまでの手順を終了すると、固定片３６，４０（３８，４２）がトレー２の内側に突出した状態となる。
次に、第１側壁部１２（１４）と、額縁部２０（２２）と、第１補強壁部２４（２６）とを折線８２，８６，９０（８４，８８，９２）に沿って、第２補強壁部２８，３２（３０，３４）を覆うように折り曲げる。この際、折線９４（９６）を折り曲げて突起４４（４６）を形成し、側端部支持片２４Ａ，２４Ｂ（２６Ａ，２６Ｂ）及び中央部支持片２４Ｃ，２４Ｄ（２６Ｃ，２６Ｄ）を折線２４Ｈ（２６Ｈ）に沿って、トレー２の内側方向に折り曲げ、中央部支持片２４Ｃ（２６Ｃ）と、中央部支持片２４Ｃ（２６Ｄ）との間に、トレー２の内側に突出している固定片３６，４０（３８，４２）を挿通させる。さらに、第１補強壁部２４（２６）に形成された凸部２４Ｊ（２６Ｊ）を、底板部１０に形成された補強壁挿入孔１０Ａ（１０Ｂ）に挿通させる。
【００３８】
ここまでの手順を終了すると、トレー２の組立が完了する（図３参照）。
次に、第２仕切壁６０を、断面がコの字状になるように折線６０Ｃに沿って折り曲げ、コの字の開放端を下方に向けた状態で、仕切壁挿入孔６０Ａに、上方から第１仕切壁５０に形成された第２挿入片５０Ｂを挿入し、夫々が直交するように中仕切りを組み合わせる。そして、第１仕切壁５０の両端に形成された第１挿入片５０Ａを、固定片３６，４０又は固定片３８，４２の間に挿入し、中仕切りをトレー２の内部に固定する。
【００３９】
ここまでの手順を終了すると、トレー２に中仕切りが設けられた包装箱１の組立が完了する（図２参照）。
上記に詳述したように、このような包装箱１によれば、側端部支持片２４Ａ，２４Ｂ（２６Ａ，２６Ｂ）及び中央部支持片２４Ｃ，２４Ｄ（２６Ｃ，２６Ｄ）を、内側に折り曲げることにより、これらの支持片が収納する容器Ｐのフランジに係合するので、容器Ｐを底板部１０から浮いた状態に保持することができる。
【００４０】
そして、側端部支持片２４Ａ，２４Ｂ（２６Ａ，２６Ｂ）は、第２側壁部１６，１８に接触して固定され、中央部支持片２４Ｃ，２４Ｄ（２６Ｃ，２６Ｄ）は、固定片３６，４０（３８，４２）により固定されているので、これらの支持片が折り曲げられていない状態に戻ることを防止でき、より確実に容器Ｐを保持することができる。さらに、上述したように各部を連設しているので、シート材４の形状が略長方形となり、シート材を効率的に使用でき、シート材の使用量を必要最小限にすることができる。
【００４１】
そして、端部に第１挿入片５０Ａが形成され、第２側壁部１６，１８と平行に配置可能な第１仕切壁５０と、第２仕切壁６０とを直交するように組立てることにより、中仕切りを形成しているので、中仕切りを、第１挿入片５０Ａが固定片３６，４０又は固定片３８，４２の間に挿入されるようにトレー２の内部に配置することにより、容易に内部空間を容器Ｐの大きさに略等しい４つの領域に分割することができ都合がよい。
【００４２】
また、第２仕切壁６０がコの字状に構成されているので、中仕切りの立設状態が安定し、さらに、各支持片と同じ高さで容器Ｐのフランジの一部と係合するように支持部６０Ｄが形成されているので、より確実に容器Ｐを底板部１０から浮かせた状態で保持できる。
【００４３】
そして、底板部１０には、補強壁挿入孔１０Ａ（１０Ｂ）が形成されていると共に、第１補強壁部２４（２６）には、凸部２４Ｊ（２６Ｊ）が形成されているので、接着剤や金具等の接合部材を用いることなく、第１補強壁部２４（２６）を固定することができるので、組立が容易となると共に、製造コストを削減することができる。
【００４４】
また、包装箱１を構成するシート材４は、段ボールにて構成されているので、箱としての十分な強度を保ちつつ、折り曲げ、切断等の加工を容易に行うことができる。
さらに、包装箱１には、額縁部２０（２２）の上面に突起４４（４６）が形成されているので、包装箱１を積み重ねた際に、包装箱１同士のずれを防止することができる。
【００４５】
尚、上述したように、側端部支持片２４Ａ，２４Ｂ（２６Ａ，２６Ｂ）及び中央部支持片２４Ｃ，２４Ｄ（２６Ｃ，２６Ｄ）は、中仕切りの無い状態で夫々固定されているので、包装箱１は、中仕切りの無い状態で、他の容器を収納するために使用することも可能である。
［第２実施例］
次に、別形態の包装箱５について説明する。本実施例（第２実施例）の包装箱５は、トレー６と中仕切りとから構成されており、中仕切りの構成は第１実施例の中仕切りと同じである。また、トレー６は、底板部１０に連設された第２側壁部１６，１８に連設された部分の構成が第１実施例のトレー２と異なるが、他の構成はトレー２と同じである。従って、本実施例の包装箱５では、第１実施例の包装箱１と同様の箇所については同様の符号を付して説明を省略し、異なる箇所についてのみ以下に説明する。
【００４６】
まず、本実施例の包装箱５について図４を用いて説明する。図４は、包装箱５の展開図である。
シート材８において、各第２側壁部１６，１８の底板部１０側の辺と直交する辺には、組立時に第１側壁部１２（１４）と第１補強壁部２４（２６）との間に挟まれる第２補強壁部１２０，１２２（１２４，１２６）が連設されている。また、第２側壁部１６，１８の底板部１０とは反対側の辺には、組立時に底板部１０に略平行に対向する面を形成する第２額縁部１３０，１３２、及び、組立時に内側に折り込まれる内壁部１３４，１３６が順に連設されており、さらに、内壁部１３４，１３６において、第２額縁部１３０，１３２側の辺と直交する２辺には、組立時に第２補強壁部１２０，１２２（１２４，１２６）と共に第１側壁部１２（１４）と第１補強壁部２４（２６）との間に挟まれる第３補強壁部１３８，１４０（１４２，１４４）が連設されている。
【００４７】
第３補強壁部１３８，１４０（１４２，１４４）の内壁部１３４，１３６とは反対側の辺は、組立時に底板部１０に当接する側が一部突出し、固定片１４６，１４８（１５０，１５２）を形成している。そして、この固定片１４６，１４８（１５０，１５２）の連結部には、内壁部１３４，１３６が連設されている辺と平行な折線１３８Ａ，１４２Ａ（１４０Ａ，１４４Ａ）が形成されており、組立時には、この折線１３８Ａ，１４２Ａ（１４０Ａ，１４４Ａ）に沿ってトレー６の内側に、固定片１４６，１４８（１５０，１５２）が折り曲げられることにより、中央部支持片２４Ｃ，２４Ｄ（２６Ｃ，２６Ｄ）が内側に折り曲げられた状態が保持される。
【００４８】
次に、このシート材８から包装箱５を組み立てる手順について図５を用いて説明する。図５は、包装箱５の完成状態を示す斜視図である。
まず、図４に示すシート材８から、第１仕切壁５０、第２仕切壁６０を切り離す。そして、内壁部１３４，１３６と、第２額縁部１３０，１３２とを、夫々、折線１５８，１６０折線１５４，１５６に沿って第２側壁部１６，１８と重なるように折り曲げ、さらに、第２側壁部１６，１８を、この折り曲げた部分と共に、折線７０，７２に沿って起こすように折り曲げる。次に、第２補強壁部１２０，１２２（１２４，１２６）、第３補強壁部１３８，１４０（１４２，１４４）を、夫々折線７４，７６（７８，８０）と、折線１６２，１６４（１６６，１６８）に沿ってトレー６の内側方向に折り曲げ、さらに、固定片１４６，１４８（１５０，１５２）を、折線１３８Ａ，１４２Ａ（１４０Ａ，１４４Ａ）に沿ってトレー６の内側方向に折り曲げる。
【００４９】
ここまでの手順を終了すると、固定片１４６，１４８（１５０，１５２）がトレー６の内側に突出した状態となる。
次に、第１側壁部１２（１４）と、額縁部２０（２２）と、第１補強壁部２４（２６）とを折線８２，８６，９０（８４，８８，９２）に沿って、第２補強壁部１２０，１２２（１２４，１２６）と第３補強壁部１３８，１４０（１４２，１４４）を覆うように折り曲げる。この際、折線９４（９６）を折り曲げて突起４４（４６）を形成し、側端部支持片２４Ａ，２４Ｂ（２６Ａ，２６Ｂ）及び中央部支持片２４Ｃ，２４Ｄ（２６Ｃ，２６Ｄ）を折線２４Ｈ（２６Ｈ）に沿って、トレー６の内側方向に折り曲げ、中央部支持片２４Ｃ（２６Ｃ）と、中央部支持片２４Ｃ（２６Ｄ）との間に、トレー６の内側に突出している固定片１４６，１４８（１５０，１５２）を挿通させる。さらに、第１補強壁部２４（２６）に形成された凸部２４Ｊ（２６Ｊ）を、底板部１０に形成された補強壁挿入孔１０Ａ（１０Ｂ）に挿通させる。
【００５０】
ここまでの手順を終了すると、トレー６の組立が完了する。
そして、第１仕切壁５０と第２仕切壁６０とを組み合わせて構成した中仕切りの、第１仕切壁５０の両端に形成された第１挿入片５０Ａを、トレー６の内側に突出した固定片１４６，１４８又は固定片１５０，１５２の間に挿入し、中仕切りをトレー６の内部に固定する。
【００５１】
ここまでの手順を終了すると、トレー６に中仕切りが設けられた包装箱５の組立が完了する（図５参照）。
上記に詳述したように、このような包装箱５によれば、第１実施例の包装箱１にて得られる効果と同様の効果を得ることができ、さらに、底板部１０の長辺側の側壁も二重に構成されているので、より強度の高い包装箱５とすることができる。また、全ての側壁の上面に、底板部１０に略平行に対向する面が形成されるので、包装箱５を、より安定した状態で、上下に重ねることができる。
【００５２】
以上、本考案の実施例について説明したが、本考案は、種々の形態を採り得ることは言うまでもない。
例えば、本実施例では、容器Ｐが４個収納される大きさの包装箱１，５とし、中仕切りにより内部空間を分割するようにしたが、中仕切りを使用せず、容器Ｐより大きいパックのフランジを側壁から突出された支持片により支持し、底板部１０から浮かせた状態で保持するようにしてもよい。
【００５３】
また、収納する物品としては、いちごに限らず、ぶどう、さくらんぼ等の青果、又は、卵、菓子等をパックに詰めたものでもよい。そして、パックの材質はプラスチックに限らず、支持片又は支持部に係合し、底板部１０から浮かせた状態に保持できるものであれば、紙、金属、プラスチック以外の樹脂等を用いてもよい。
【００５４】
さらに、本実施例では、包装箱１は蓋の無いトレー状であるが、例えば第２側壁部１６又は１８に、開口面を覆うような大きさの蓋部を連設し、蓋付きの包装箱１としてもよい。また、別途蓋を設けてもよい。
【図面の簡単な説明】
【００５５】
【図１】第１実施例の包装箱１を示す展開図である。
【図２】第１実施例の包装箱１の完成状態を示す斜視図である。
【図３】第１実施例の包装箱１の分解斜視図である。
【図４】第２実施例の包装箱５を示す展開図である。
【図５】第２実施例の包装箱５の完成状態を示す斜視図である。
【符号の説明】
【００５６】
１…包装箱、２…トレー、４…シート材、５…包装箱、６…トレー、８…シート材、１０…底板部、１０Ａ，１０Ｂ…補強壁挿入孔、１２，１４…第１側壁部、１６，１８…第２側壁部、２０，２２…額縁部、２４，２６…第１補強壁部、２４Ａ，２４Ｂ，２６Ａ，２６Ｂ…側端部支持片、２４Ｃ，２４Ｄ，２６Ｃ，２６Ｄ…中央部支持片、２４Ｅ〜２４Ｇ，２６Ｅ〜２６Ｇ…切り込み、２４Ｈ，２６Ｈ…折線、２４Ｊ，２６Ｊ…凸部、２８，３０，３２，３４…第２補強壁部、２８Ａ，３０Ａ，３２Ａ，３４Ａ…折線、２８Ｂ，３０Ｂ，３２Ｂ，３４Ｂ…凸部、３６，３８，４０，４２…固定片、４４，４６突起、５０…第１仕切壁、５０Ａ…第１挿入片、５０Ｂ…第２挿入片、６０…第２仕切壁、６０Ａ…仕切壁挿入孔、６０Ｂ…切り込み、６０Ｃ…折線、６０Ｄ…支持部、７０〜１０４…折線、１２０，１２２，１２４，１２６…第２補強壁部、１３０，１３２…第２額縁部、１３４，１３６…内壁部、１３８，１４０，１４２，１４４…第３補強壁部、１３８Ａ，１４０Ａ，１４２Ａ，１４４Ａ…折線、１４６，１４８，１５０，１５２…固定片、１５４〜１６８…折線
【図１】
0003111978.tif 000003
【図２】
0003111978.tif 000004
【図３】
0003111978.tif 000005
【図４】
0003111978.tif 000006
【図５】
0003111978.tif 000007